(57)【要約】      （修正有）【課題】枕として、主に宿泊宿において、就寝時の枕の厚みを好みの厚みに容易に調整でき、もって快適な睡眠を提供すると共に、旅先に携帯する場合にも容易にかつ嵩張らずに携帯することができるものを提供する。【解決手段】展開状態で帯板状となっており、内部にクッション材６を充填した袋状体をその長手方向に適当間隔にキルティング状３に縫着することによって帯板状袋状体２を長手方向に凹凸状ないし連珠状に連設して形成し、この帯板状袋状体２…を円筒状に丸めてその両端部４を留め具５で止着することによって内外周面が凹凸状を呈し、内部にクッション材６を充填した円筒状袋状体からなる枕本体１Ｂを形成し、この円筒状枕本体１Ｂの円筒状空間部７にタオルなどの枕厚み調整部材Ｔを挿入可能としてなるものとしている。【選択図】図３
0003139164.tif 000002
【実用新案登録請求の範囲】
【請求項１】
展開状態で帯板状となっており、内部にクッション材を充填した袋状体をその長手方向に適当間隔にキルティング状に縫着することによって帯板状袋状体を長手方向に凹凸状ないし連珠状に連設して形成し、この帯板状袋状体を円筒状に丸めてその両端部を留め具で止着することによって内部にクッション材を充填し、内外周面が凹凸状を呈し、円筒状袋状体からなる枕本体を形成し、この円筒状枕本体の円筒状空間部にタオルなどの枕厚み調整部材を挿入可能とした枕。
【請求項２】
前記縫着はキルティング縫着である請求項１記載の枕。
【請求項３】
前記留め具はファスナー又は面状係止片あるいはホックやボタンからなる請求項１又は２に記載の枕。
【請求項４】
前記円筒状袋状体からなる枕本体は、その円筒状空間部が真円状から扁平状まで変形可能に柔軟に形成されてなる請求項１乃至３の何れかに記載の枕。
【請求項５】
前記円筒袋状体からなる枕本体は、前記留め具を外すことによって帯板状に展開可能となっている請求項１乃至４の何れかに記載の枕。
【請求項６】
前記帯板状に展開された枕本体は少なくとも２つ折り又は３つ折りに折り畳み可能となっている請求項５に記載の枕。
【考案の詳細な説明】
【技術分野】
【０００１】
本考案は、主に宿泊宿で提供される枕に関する。
【背景技術】
【０００２】
周知のように宿泊宿で提供される枕は、厚みが一定で容易に調整することができない。そのため、枕が合わず眠ることができないということが往々にしてあった。
【考案の開示】
【考案が解決しようとする課題】
【０００３】
本考案は、上述の情況に鑑み、枕として、主に宿泊宿において、就寝時の枕の厚みを好みの厚みに容易に調整でき、もって快適な睡眠を提供すると共に、旅先に携帯する場合にも容易にかつ嵩張らずに携帯することができることを目的としている。
【課題を解決するための手段】
【０００４】
上記目的を達成するための手段を図面の参照符号を付して示せば、請求項１の考案に係る枕は、展開状態で帯板状１Ａとなっており、内部にクッション材６を充填した袋状体をその長手方向に適当間隔にキルティング状３に縫着することによって帯板状袋状体２を長手方向に凹凸状ないし連珠状に連設して形成し、この帯板状袋状体２…を円筒状に丸めてその両端部４を留め具５で止着することによって内外周面が凹凸状を呈し、内部にクッション材６を充填した円筒状袋状体からなる枕本体１Ｂを形成し、この円筒状枕本体１Ｂの円筒状空間部７にタオルなどの枕厚み調整部材Ｔを挿入可能としてなるものとしている。
【０００５】
請求項２の考案は、上記請求項１の枕において、縫着がキルティング縫着でなるものとしている。
【０００６】
請求項３の考案は、上記請求項１又は２の枕において、留め具５がファスナー又は面状係止片あるいはホックやボタンからなるように構成されている。
【０００７】
請求項４の考案は、上記請求項１乃至３の枕において、円筒状袋状体からなる枕本体１Ｂは、その円筒状空間部７が真円状から扁平状まで変形可能に柔軟に形成されてなるものとしている。
【０００８】
請求項５の考案は、上記請求項１乃至４の枕において、円筒袋状体からなる枕本体１Ｂは、留め具５を外すことによって帯板状１Ａに展開可能となるように構成されている。
【０００９】
請求項６の考案は、上記請求項５の枕において、帯板状１Ａに展開された枕本体１Ｂは少なくとも２つ折り又は３つ折りに折り畳み可能となるように構成されている。
【考案の効果】
【００１０】
次に、本考案の効果について、図面の参照符号を付して説明する。請求項１の考案に係る枕によれば、展開状態で帯板状１Ａとなっており、内部にクッション材６を充填した袋状体をその長手方向に適当間隔にキルティング状３に縫着することによって帯板状袋状体２を長手方向に凹凸状ないし連珠状に連設して形成し、この帯板状袋状体２…を円筒状に丸めてその両端部４を留め具５で止着することによって内外周面が凹凸状を呈し、内部にクッション材６を充填した円筒状袋状体からなる枕本体１Ｂを形成し、この円筒状枕本体１Ｂの円筒状空間部７にタオルなどの枕厚み調整部材Ｔを挿入可能としてなるものとしているから、枕厚み調整部材Ｔを変化させることによって枕本体１Ｂの厚みを自由に調整することができ、枕本体１Ｂを携帯する場合、コンパクトに嵩張らずに保管することができ、さらに留め具５を備えていることから留め具５を脱離して枕本体１Ｂを折り畳み等によってよりコンパクトに嵩張らずに保管することができる。
【００１１】
請求項２の考案によれば、上記の枕において、縫着をキルティング縫着としているから、枕本体１Ｂの内部のクッション材６が帯板状袋状体２…の何れか一方に片寄ることが阻止され、携帯時に枕本体１Ｂの枕厚みが変化することがないため嵩張らずに保管することができる。またキルティング縫着により枕本体の柔軟性を高め枕本体の枕厚み調整を無理なく行うことができ且つ使用者の頭部を支持する枕本体のフィット性を高め快適に使用することができる。
【００１２】
請求項３の考案によれば、上記の枕において、留め具５をファスナー又は面状係止片あるいはホックやボタンとしているから、枕本体１Ｂをより嵩張らずに携帯する際に留め具５を容易に着脱することができる。
【００１３】
請求項４の考案によれば、上記の枕において、円筒状袋状体からなる枕本体１Ｂは、その円筒状空間部７が真円状から扁平状まで変形可能に柔軟に形成されているから、円筒状空間部７の大きさを自由に変更することができ、枕本体１Ｂを携帯する際によりコンパクトに嵩張らずに携帯することができる。
【００１４】
請求項５の考案によれば、上記の枕において、円筒袋状体からなる枕本体１Ｂは、留め具５を外すことによって帯板状１Ａに展開可能となっているから、枕本体１Ｂを携帯する際にロール状に巻き込んでなるものとすることによって、よりコンパクトに嵩張らずに携帯することができる。
【００１５】
請求項６の考案によれば、上記の枕において、帯板状１Ａに展開された枕本体１Ｂは少なくとも２つ折り又は３つ折りに折り畳み可能となっているから、折り畳むことにより、枕本体１Ｂを携帯する際によりコンパクトに嵩張らずに携帯することができる。
【考案を実施するための最良の形態】
【００１６】
以下、本考案に係る枕について、図面を参照して具体的に説明する。図1は本考案の枕を展開した斜視図、図２は図1のＡ−Ａ断面図、図３（a）は実施形態、図３（ｂ）は図３（a）のＢ−
Ｂ断面図である。
【００１７】
図1に示す枕本体１Ｂを展開した帯板状１Ａは、図2に示すように内部にクッション材６である籾殻を充填し、袋状体をその長手方向に約４０ｃｍキルティング状３に縫着することによって厚み約１．５ｃｍの帯板状袋状体２を長手方向に凹凸状に連設して形成し、両端部４に留め具５であるファスナーを有するように構成されている。
【００１８】
そして、図３（a）に示す枕は、図１に示す枕本体１Ｂを展開した帯板状１Ａの帯板状袋状体２…を円筒状に丸めてその両端部４を留め具５であるファスナーで止着することによって内外周面が凹凸状を呈し、図３（ｂ）に示すように内部にクッション材６である籾殻を充填した枕本体１Ｂを形成し、この円筒状枕本体１Ｂの円筒状空間部７に枕厚み調整部材Ｔのタオルを3枚挿入することによって形成される。
【００１９】
図４（a）乃至（e）は本考案に係る枕の使用例を示す。図４（a）は図３（a）に示した枕本体１Ｂの使用状態を示す斜視図、図4（b）乃至（e）は図４（a）に示した枕厚み調整部材Ｔのタオル枚数やタオル位置を変更した正面図である。これらの図で分かるように、図４（a）は枕本体１Ｂの円筒状空間部７に枕厚み調整部材Ｔのタオルを３枚挿入し、頸椎と頭部を支持する枕本体１Ｂの厚みが略同じになるようにタオル位置が形成されている。図４（ｂ）は枕本体１Ｂの円筒状空間部７に枕厚み調整部材Ｔのタオルを１枚挿入し、頭部を支持する枕本体１Ｂの厚みが頸椎を支持する枕本体１Ｂの厚みよりも厚くなるようにタオル位置が形成されている。図４（ｃ）は枕本体１Ｂの円筒状空間部７に枕厚み調整部材Ｔのタオルを２枚挿入し、頸椎を支持する枕本体１Ｂの厚みが頭部を支持する枕本体１Ｂの厚みよりも厚くなるようにタオル位置が形成されている。図4（ｄ）は枕本体１Ｂの円筒状空間部７に枕厚み調整部材Ｔのタオルを１枚挿入し、頸椎を支持する枕本体１Ｂの厚みが頭部を支持する枕本体１Ｂの厚みよりも厚くなるようにタオル位置が形成され、図４（ｃ）に示す頸椎を支持する枕本体の厚みよりも薄くなっている。図４（e）は枕本体１Ｂの円筒状空間部７に枕厚み調整部材Ｔのタオルを１枚挿入し、頸椎を支持する枕本体１Ｂの厚みが頭部を支持する枕本体１Ｂの厚みよりも厚くなるようにタオル位置が形成され、図４（ｄ）に示す頸椎を支持する枕本体の厚みよりも薄くなっている。
【００２０】
以上、上述したように、枕厚み調整部材Ｔのタオルの枚数やタオル位置を変更することにより、枕本体１Ｂの厚みを容易に調整することができる。
【００２１】
図５（a）は、枕厚み調整部材Ｔを挿入していない場合の枕本体斜視図、図５（ｂ）は枕本体１Ｂを展開した帯板状１Ａをロール状に巻き込んでなる斜視図である。これらの図で分かるように、枕本体１Ｂに枕厚み調整部材Ｔを挿入していない場合には、縦幅ＣＷが約２５ｃｍ、横幅ＲＷが約４０ｃｍからなる枕本体１Ｂが形成され、ロール状枕１Ｃは枕本体１Ｂを展開した帯板状１Ａの一端面をロール状に巻き込んでなることによって形成される。
【００２２】
しかして、枕本体１Ｂを携帯する際、枕本体１Ｂ自体がコンパクトに形成されているから嵩張らずに保管することができ、枕本体１Ｂをロール状枕１Ｃとすることによってより嵩張らずに保管することができる。
【００２３】
尚、枕厚み調整部材Ｔとしては、タオルを例示したが、特に制約はなく、タオル以外にも雑誌や、新聞紙等を採用することもできる。
【００２４】
そして、留め具５としては、ファスナー以外にも、マジックテープ（登録商標）等の面状係止片やホックやボタン等を用いることもできる。
【００２５】
さらに、クッション材６としては籾殻を例示したが、樹脂発泡体、樹脂製ビーズ、木材チップ、竹チップ、樹脂製パイプのカット品、低反発ウレタン等を用いることもできる。
【図面の簡単な説明】
【００２６】
【図１】本考案に係る枕の展開斜視図である。
【図２】同枕の展開縦断面図である。
【図３】（a）同枕の実施形態斜視図である。（b）同枕の実施形態縦断面図である。
【図４】（a）乃至（e）同枕の一使用例である。
【図５】（a）同枕の斜視図である。（ｂ）同枕をロール状に巻きつけた斜視図である。
【符号の説明】
【００２７】
Ｔ                      枕厚み調整部材
１Ａ                    帯板状
１Ｂ                    枕本体
１Ｃ                    ロール状枕
２                      帯板状袋状体
３                      キルティング状
４                      両端部
５                      留め具
６                      クッション材
７                      円筒状空間部
ＣＷ                    縦幅
ＲＷ                    横幅
【図１】
0003139164.tif 000003
【図２】
0003139164.tif 000004
【図３】
0003139164.tif 000005
【図４】
0003139164.tif 000006
【図５】
0003139164.tif 000007